(57)【特許請求の範囲】
【請求項１】
栓体と該栓体から外方に延設された環状の栓カバーとからなり、栓カバーを容器本体の口部の外面に螺合することにより栓体を容器本体の口部内に挿入して該口部を密封する携帯用容器の栓構造において、
前記栓体の外周に栓カバーパッキンを装着し、該栓カバーパッキンの上に前記栓カバーを着脱可能に圧入することにより、前記栓カバーを前記栓体に対して着脱可能に設けたことを特徴とする携帯用容器の栓構造。
【請求項２】
前記栓体の上端を前記栓カバーより上方に突出させ、下端から上端まで内部に流路を形成し、前記栓体の上端にキャップを液封可能に取り付けたことを特徴とする請求項１に記載の携帯用容器の栓構造。
【請求項３】
前記キャップの蓋部に貫通孔を形成し、該貫通孔に紐の一端を挿入して抜け止めするとともに他端を容器本体の肩部材に取り付け、前記キャップの内部に、前記紐の一端を覆う凹部と、前記栓体の上端面と前記キャップの蓋部内面との間に挟持される鍔部とからなるキャップパッキンを設けたことを特徴とする請求項２に記載の携帯用容器の栓構造。
【請求項４】
前記キャップパッキンの凹部に、前記キャップの貫通孔に内側から遊嵌して外方へ抜け止めされたストッパーを設け、該ストッパーに前記紐の一端を挿入して抜け止めしたことを特徴とする請求項３に記載の携帯用容器の栓構造。
【発明の詳細な説明】
【０００１】
【発明の属する技術分野】
本発明は、魔法瓶、水筒等の携帯用容器の栓構造に関する。
【０００２】
【従来の技術】
従来の携帯用容器は、容器本体の口部に嵌合する栓を有している。この栓は、栓体と該栓体の外周に強制嵌合により一体に固着された環状の栓カバーとからなっている。そして、栓カバーを容器本体の口部の外面に螺合することにより栓体を容器本体の口部内に挿入して該口部を密封するようになっている。
【０００３】
【発明が解決しようとする課題】
しかしながら、従来の栓は、栓体に栓カバーが強制嵌合により一体に固着されて取り外しができなかったので、栓体と栓カバーの間の奥の方を洗浄するのにブラシ等を使用しなければならず、洗浄が困難で、不衛生になりがちであった。
【０００４】
本発明はかかる従来の問題点に鑑みてなされたもので、栓体と栓カバーの洗浄等のお手入れが容易な携帯用容器の栓構造を提供することを課題とする。
【０００５】
【課題を解決するための手段】
前記課題を解決するために、本発明は、栓体と該栓体から外方に延設された環状の栓カバーとからなり、栓カバーを容器本体の口部の外面に螺合することにより栓体を容器本体の口部内に挿入して該口部を密封する携帯用容器の栓構造において、前記栓体の外周に栓カバーパッキンを装着し、該栓カバーパッキンの上に前記栓カバーを着脱可能に圧入することにより、前記栓カバーを前記栓体に対して着脱可能に設けたものである。
【０００７】
前記手段からなる本発明によると、栓体から栓カバーを取り外して、栓体と栓カバーを別々に洗浄することができ、お手入れが容易になる。
【０００８】
前記栓体の上端を前記カバーより上方に突出させ、下端から上端まで内部に流路を形成し、前記栓体の上端にキャップを液封可能に取り付けることができる。栓体を取り外すことなく、キャップを取るだけで簡単に内部の液体を上端の流出口から流出させたり、直接口をつけて飲むことができる。
【０００９】
この場合、前記キャップの蓋部に貫通孔を形成し、該貫通孔に紐の一端を挿入して抜け止めするとともに他端を容器本体の肩部材に取り付け、前記キャップの内部に、前記紐の一端を覆う凹部と、前記栓体の上端面と前記キャップの蓋部内面との間に挟持される鍔部とからなるキャップパッキンを設けることが好ましい。このようにすることで、紐を取り付けたままキャップの取り外しができるうえ、キャップを紛失することもない。また、キャップパッキンによって内部の液体はキャップの貫通孔から漏出するのが防止される。
【００１０】
前記キャップパッキンの凹部に、前記キャップの貫通孔に内側から遊嵌して外方へ抜け止めされたストッパーを設け、該ストッパーに前記紐の一端を挿入して抜け止めすることが好ましい。このようにすることで、キャップの着脱時にキャップを回すのに伴って紐が捩じれるのを防止することができる。
【００１１】
【発明の実施の形態】
以下、本発明の実施の形態を添付図面に従って説明する。
【００１２】
図１は、本発明に係る栓構造を備えた携帯用真空二重容器（魔法瓶）を示す。図１において、１はステンレス鋼からなる真空二重構造の容器本体である。容器本体１の口部２の喉奥の内周面には、後述する栓体１０の栓体パッキン１２が圧接する段部３が形成されている。容器本体１の口部２の先端から肩部にかけて合成樹脂製の肩部材４が取り付けられている。すなわち、肩部材４の上端に延設した屈曲部５が口部２に係止され、下端内周面に突設した突部６が容器本体１の外周面に形成した溝部７に強制嵌合されている。肩部材４の上部外周面には雄ねじ８が形成され、下部外面には後述する紐２７の下端を掛止する環部９が形成されている。
【００１３】
容器本体１の口部２に挿入される栓体１０は、図２に示すように、略円錐台形で、内部に下端から上端まで貫通する流路１１が形成されている。栓体１０の下端外周面には前記容器本体１の喉奥の段部３に圧接する栓体パッキン１２が装着されている。栓体１０の上部外周面には雄ねじ１３が形成されている。栓体１０の中央部の外周面には、溝１４が形成され、該溝１４に栓カバーパッキン１５が装着されている。また、溝１４の下方には外側に広がる段部１６が形成されている。
【００１４】
前記栓体１０と組み合わされる栓カバー１７は、容器本体１の口部２を閉じる円形の蓋部１８と該蓋部１８から下方に延びる筒状部１９とからなっている。蓋部１８には、前記栓体１０が貫通する孔２０が形成され、該孔２０の縁から上方に環状突部２１が突設されている。蓋部１８の孔２０の縁は前記栓体１０の段部１６に当接し、環状突部２１の内面は前記栓体１０の栓カバーパッキン１５に圧接するようになっている。筒状部１９の内面には、前記肩部材４の雄ねじ８に螺合する雌ねじ２２が形成されている。
【００１５】
前記栓体１０の上端には、キャップ２３が液封可能に取り付けられる。このキャップ２３は、キャップ本体２４、キャップパッキン２５、ストッパー２６および紐２７からなっている。キャップ本体２４は、前記栓体１０の上端流出口２８を覆う円形の蓋部２９と該蓋部２９から下方に延びる筒状部３０とからなっている。蓋部２９には貫通孔３１が形成され、筒状部３０の内面には雌ねじ３２が形成されている。キャップパッキン２５は、前記栓体１０の上端流出口２８に挿入可能な大きさを有し、上向きの凹部３３が形成された円柱状の本体３４と、該本体３４の上端から水平方向に外方に延設され、前記栓体１０の上端に載置される鍔部３５とからなっている。ストッパー２６は、前記キャップ本体２４の貫通孔３１に遊嵌する小径筒部３６と、該小径筒部３６の下端に延設され前記キャップ本体２４の貫通孔３１より大径の大径筒部３７とからなっている。紐２７は、一端が前記ストッパー２６に挿通されて図１に示すように結び目３８が作られることで、キャップ２３から抜け止めされ、他端が前記肩部材４の環部９に掛け止めされている。
【００１６】
次に、前記構成からなる携帯用真空二重容器の栓体１０の取付け手順およびその作用を説明する。
【００１７】
前記栓体１０を容器本体１に取り付けるには、キャップ２３を外した状態で栓体１０の上端を栓カバー１７の孔２０に通し、栓カバーパッキン１５を栓カバー１７の環状突部２１の内面に圧入し、段部１６を栓カバー１７の孔２０の縁に当接させる。このように栓カバー１７を組み付けた栓体１０の下端を容器本体１の口部２に挿入し、栓カバー１７の雌ねじ２２を容器本体１の肩部材４の雄ねじ８に螺合する。これにより、栓体１０の下端が容器本体１の奥に向かって進み、栓体パッキン１２が容器本体１の喉奥の段部３に圧接して、栓体１０の取り付けが完了する。
【００１８】
一方、キャップ２３を組み立てるには、まず２つ折りした紐２７の両端をストッパー２６の小径筒部３６側から挿入して図１に示すように結び目３８を作り、抜け止めする。そして、このストッパー２６の小径筒部３６をキャップ本体２４の貫通孔３１に内側から挿入した後、キャップパッキン２５をキャップ本体２４の内部に押し込み、ストッパー２６がキャップパッキン２５の凹部３３に収容されるようにする。これにより、ストッパー２６の落ち込みが防止されるとともに、紐２７の結び目３８がキャップパッキン２５によって目隠しされて見苦しさがなくなる。紐２７の他端は容器本体１の肩部材４の環部９に掛け止める。これにより、キャップ２３の取り付けが完了し、キャップ２３は紐２７を介して容器本体１に取り付けられ、紛失が防止される。
【００１９】
キャップ２３は、栓体１０の上端流出口２８に被せて回し、その雌ねじ３２を栓体１０の雄ねじ１３に螺合することで、栓体１０に取り付ける。このとき、キャップ本体２４の蓋部２９と栓体１０の上端との間にキャップパッキン２５の鍔部３５が挟持されてシールされる。キャップ２３の取り外しは逆に回せばよい。キャップ２３を取り付けたり、取り外すときにキャップ２３が回っても、その貫通孔３１に遊嵌するストッパ２６は静止しているので、紐２７は捩じれることがない。このため、キャップ２３の着脱が簡単である。
【００２０】
また、栓体１０を取り外すには、まずキャップ２３を外しておいて、栓カバー１７を逆に回してねじを緩める。これにより、栓体１０は栓カバー１７と一体に回りながら容器本体１の上方に向かって移動し、容器本体１から外れる。次に、栓体１０を栓カバー１７から引き抜き、栓体１０と栓カバー１７を分離することができる。これにより、栓体１０と栓カバー１７を別個に洗浄することができ、栓体１０と栓カバー１７が嵌合していた部分も簡単にお手入れすることができ、清潔に保つことができる。
【００２１】
前記実施形態では、栓体１０と栓カバー１７は、栓カバーパッキン１５を介して圧接させたが、栓体１０に栓カバーパッキン１５を設けないで、図３に示すように、栓体１０の外周に雄ねじ３９を形成し、該雄ねじ３９と螺合する雌ねじ４０を栓体１０の環状突部２１の内面に形成することで、栓体１０を栓カバー１７にねじにより着脱可能にしてもよい。また、図４に示すように、栓体１０の外周に、栓カバー１７の環状突部２１の内面と着脱可能に嵌合する嵌合面４１を形成してもよい。
【００２２】
【発明の効果】
以上の説明から明らかなように、本発明によれば、栓体と該栓体から外方に延設された環状の栓カバーとからなり、栓カバーを容器本体の口部の外面に螺合することにより栓体を容器本体の口部内に挿入して該口部を密封する携帯用容器の栓構造において、前記栓体の外周に栓カバーパッキンを装着し、該栓カバーパッキンの上に前記栓カバーを着脱可能に圧入することにより、前記栓カバーを前記栓体に対して着脱可能に設けたので、栓体から栓カバーを取り外して、栓体と栓カバーを別々に洗浄することができ、お手入れが容易になり、栓体を清潔に保つことができる。
【図面の簡単な説明】
【図１】  本発明に係る栓構造を備えた携帯用真空二重容器の上部断面図。
【図２】  図１の栓構造の分解断面図。
【図３】  図２の栓構造の変形例を示す分解断面図。
【図４】  図２の栓構造の他の変形例を示す分解断面図。
【符号の説明】
１  容器本体
２  口部
１０  栓体
１１  流路
１５  栓カバーパッキン
１７  栓カバー
２３  キャップ
２５  キャップパッキン
２６  ストッパー
２９  蓋部
３１  貫通孔
３３  凹部
３５  鍔部
３９  雄ねじ
４０  雌ねじ
４１  嵌合面
【図１】
0003904899.tif 000002
【図２】
0003904899.tif 000003
【図３】
0003904899.tif 000004
【図４】
0003904899.tif 000005